(57)【要約】【課題】プラズマディスプレーパネルの耐久性を強化させたフィルム型の前面フィルターを提供すること。【解決手段】本発明による前面フィルター80は、パネル32と、パネルの前面に付着して外部衝撃を吸収できる衝撃吸収層84を備える。前面フィルターは、プラズマディスプレーパネルの前面フィルターにおいて、前面フィルター80は、パネル32の前面に付着して外部衝撃を吸収できるようにＥＶＡ、アクリル系高分子、ＰＶＣのうち少なくともいずれか一つで形成された衝撃吸収層84が含まれることを特徴とする。【選択図】図１
2004246365.tif 000002
【特許請求の範囲】
【請求項１】
パネルと、
パネルの前面に付着して外部衝撃を吸収する衝撃吸収層と、を備えることを特徴とする前面フィルタ。
【請求項２】
前記前面フィルタは、反射光を減らすための反射防止膜と、パネルから入射される光特性を改善させるための光特性膜と、パネルから入射される電磁波を遮断するためのＥＭＩ(電磁障害）遮蔽膜と、パネルから入射される近赤外線を遮断するための近赤外線遮蔽膜をさらに備えることを特徴とする請求項１記載の前面フィルタ。
【請求項３】
前記衝撃吸収層は、フィルムで作られて前記膜間に付着することを特徴とする請求項２記載の前面フィルタ。
【請求項４】
前記衝撃吸収層は、粘着剤及び接着剤のいずれか一つの形態で製造されて、前記膜間に塗布されることのうちいずれか一つであることを特徴とする請求項２に記載の前面フィルタ。
【請求項５】
前記衝撃吸収層は、透明な材質のＥＶＡ、アクリル系高分子、ＰＶＣのうち少なくともいずれか一つの高分子材質であることを特徴とする請求項１記載の前面フィルタ。
【請求項６】
前記衝撃吸収層の厚さは、５００μｍ〜５ｍｍであることを特徴とする請求項１記載の前面フィルタ。
【請求項７】
プラズマディスプレーパネルの前面フィルタであって、
この前面フィルタは、パネルの前面に付着して外部衝撃を吸収できるようにＥＶＡ、アクリル系高分子、ＰＶＣのうち少なくともいずれか一つで形成された衝撃吸収層を含んでいることを特徴とする前面フィルタ。
【請求項８】
前記衝撃吸収層の厚さは、５００μｍ〜５ｍｍであることを特徴とする請求項７記載の前面フィルタ。
【請求項９】
前記衝撃吸収層は、フィルムタイプであることを特徴とする請求項７記載の前面フィルタ。
【請求項１０】
前記衝撃吸収層は、粘着剤及び接着剤のうちいずれか一つの形態で塗布されることを特徴とする請求項７記載の前面フィルタ。
【請求項１１】
前記前面フィルタは、反射光を減らすための反射防止膜と、パネルから入射される光特性を改善させるための光特性膜と、パネルから入射される電磁波を遮断するためのＥＭＩ（電磁障害）遮蔽膜と、パネルから入射される近赤外線を遮断するための近赤外線遮蔽膜をさらに備えることを特徴とする請求項７記載の前面フィルタ。
【発明の詳細な説明】
【技術分野】
【０００１】
本発明は、プラズマディスプレーパネルの前面フィルタに係り、特にプラズマディスプレーパネルの耐久性が向上するようにした前面フィルタに関する。
【背景技術】
【０００２】
プラズマディスプレーパネルは、Ｈｅ+Ｘｅ、Ｎｅ+Ｘｅ、Ｈｅ+Ｎｅ+Ｘｅなどの不活性混合ガスの放電時に発生する１４７ｎｍの紫外線により赤色、緑色、青色を発光する蛍光体を発光させることによって、文字またはグラフィックを含んだ画像を示す。このようなＰＤＰは、薄膜化と大型化が容易になるだけでなく最近の技術開発に助けられて大きく向上した画質を提供する。特に、３電極交流面放電型ＰＤＰは、放電時の表面に壁電荷が蓄積されて放電により発生するスパッタリングから電極を保護するために低電圧駆動と長寿命の長所を有する。
【０００３】
図２は、従来のプラズマディスプレーパネルの放電セル構造を示す斜視図である。
図２を参照すれば、３電極交流面放電型ＰＤＰの放電セルは、上部基板１０上に形成されたスキャン電極Ｙ及びサステイン電極Ｚと、下部基板１８上に形成されたアドレス電極Ｘを備える。スキャン電極Ｙとサステイン電極Ｚのそれぞれは、透明電極１２Ｙ、１２Ｚと、透明電極１２Ｙ、１２Ｚの線幅より小さい線幅を有し、透明電極の一側縁に形成される金属バス電極１３Ｙ、１３Ｚを含む。
【０００４】
透明電極１２Ｙ、１２Ｚは、通常インジウム−スズ−オキサイド（Indium−Tin−Oxide：ＩＴＯ）であって上部基板１０上に形成される。金属バス電極１３Ｙ、１３Ｚは、通常クロム（Ｃｒ）などの金属で透明電極１２Ｙ、１２Ｚ上に形成されて、抵抗が高い透明電極１２Ｙ、１２Ｚによる電圧降下を減らす役割を有する。スキャン電極Ｙとサステイン電極Ｚが並んで形成された上部基板１０には上部誘電体層１４と保護膜１６が積層される。上部誘電体層１４には、プラズマ放電時に発生した壁電荷が蓄積される。保護膜１６はプラズマ放電時発生したスパッタリングによる上部誘電体層１４の損傷を防止すると共に、２次電子の放出効率を高める。保護膜１６としては、通常酸化マグネシウム（ＭｇＯ）が利用される。
【０００５】
アドレス電極Ｘが形成された下部基板１８上には、下部誘電体層２２、隔壁２４が形成され、下部誘電体層２２と隔壁２４表面には、蛍光体層２６が塗布される。アドレス電極Ｘは、スキャン電極Ｙ及びサステイン電極Ｚと交差する方向に形成される。隔壁２４は、ストライプ（Stripe）または格子状に形成され、放電により生成された紫外線及び可視光が隣接した放電セルに漏れることを防止する。蛍光体層２６は、プラズマ放電時に発生した紫外線により励起されて、赤色、緑色または青色のうちいずれか一つの可視光線を発生する。上／下部基板１０、１８と隔壁２４間に用意された放電空間には、不活性混合ガスが注入される。
【０００６】
ＰＤＰは、画像の階調を実現するために、１フレームを発光回数が異なった多くのサブフィールドに分けて時分割駆動するようになる。各サブフィールドは、全画面を初期化させるための初期化期間と、スキャンラインを選択して選択されたスキャンラインからセルを選択するためのアドレス期間と、放電回数によって階調を実現するサステイン期間に分けられる。
【０００７】
例えば、２５６階調で画像を表示しようとする場合に、図３のように１／６０秒に該当するフレーム期間（１６．６７ｍｓ）は、８個のサブフィールド（ＳＦ１ないしＳＦ８）に分けられる。８個のサブフィールド（ＳＦ１ないしＳＦ８）のそれぞれは、前述したように、初期化期間、アドレス期間、及びサステイン期間に分けられる。各サブフィールドの初期化期間とアドレス期間は、各サブフィールドごとに同一であるが、一方、サステイン期間は各サブフィールドで２n（ｎ=０、１、２、３、４、５、６、７）の比率で増加する。
【０００８】
このように駆動されるＰＤＰにおいて、上部基板１０上には電磁波を遮蔽すると共に外部光の反射を防止するために前面フィルタが設置される。
【０００９】
図４は、従来のプラズマディスプレーパネルの一側を概略的に示す断面図である。
図４を参照すれば、従来ＰＤＰは、上部基板と下部基板が合着されて形成されるパネル３２と、パネル３２の前面に設置される前面フィルタ３０と、パネル３２の後面に設置される放熱板３４と、放熱板３４に付着するように設置される印刷回路基板３６と、ＰＤＰの後面を覆いかぶせるように形成されるバックカバー３８と、前面フィルタ３０とバックカバー３８を接続させるためのフィルタ支持部４０と、フィルタ支持部４０を覆いかぶせるように前面フィルタ３０とバックカバー３８間に設置される支持部材４２とを備える。
【００１０】
印刷回路基板３６は、パネル３２の電極に駆動信号を供給する。このために、印刷回路基板３６は、図示されていない多様な駆動部を備える。パネル３２は、印刷回路基板３６から供給される駆動信号に応答して所定の画像を表示する。放熱板３４は、パネル３２及び印刷回路基板３６から発生する熱を放熱させる。バックカバー３８は、外部の衝撃からパネル３２を保護すると共に後面に放出される電磁障害（ElectroMagnetic  Interference：以下"ＥＭＩ"と称する）を遮断する。
【００１１】
フィルタ支持部４０は、前面フィルタ３０をバックカバー３８に電気的に接続させる。このようなフィルタ支持部４０は、前面フィルタ３０をバックカバー３８に接地させると共に側面にＥＭＩが放出されることを防止する。支持部材４２は、フィルタ支持部４０、前面フィルタ３０及びバックカバー３８などを支持する。
【００１２】
前面フィルタ３０は、ＥＭＩを遮蔽すると共に外部光の反射を防止する。このために、前面フィルタ３０は、図６のように無反射膜５０、光特性膜５２、ガラス５４、ＥＭＩ遮蔽膜５６及び近赤外線（near  infrared  rays：以下"ＮＩＲ"と称する）遮蔽膜５８を備える。ここで、実際に前面フィルタ３０の各膜５０、５２、５４、５６、５８間には粘着層が形成されて各膜５０、５２、５４、５６、５８間を接着させる。
【００１３】
また、一般的に光特性膜５２は、図示されたように別途の層として存在するよりは粘着層に特定物質を挿入して形成されるようにする。
【００１４】
そして、前面フィルタ３０の構造は、その製造業者にしたがって若干ずつ変化する。本願では説明の便宜性のために粘着層を図示することなく、光特性膜５２を別途の層に表示し、現在一般的に使われる前面フィルタ３０の構造を例に挙げた。
【００１５】
無反射膜（Antireflection  Coating）５０は、外部から入射される光が再び外部に反射されることを防止してＰＤＰのコントラストを向上させる。このような無反射膜５０は前面フィルタ３０の表面に形成される。一方、無反射膜５０は前面フィルタ３０の背面にさらに形成されることができる。光特性膜５２はパネル３２から入射される光のうち赤色Ｒ及び緑色Ｇの輝度を低くすると共に青色Ｂの輝度を高めてＰＤＰの光特性を改善させる。
【００１６】
ガラス５４は、外部衝撃から前面フィルタ３０が破損されることを防止する。言い換えれば、ガラス５４は、前面フィルタ３０及びパネル３２が外部衝撃から破損されることを防止するように、前面フィルタ３０を支持する。ＥＭＩ遮蔽膜５６は、ＥＭＩを遮蔽してパネル３２から入射されるＥＭＩが外部に放出されることを防止する。ＮＩＲ遮蔽膜５８はパネル３２から放射されるＮＩＲを遮蔽してリモートコントローラー等のようにＩＲを利用して信号を伝達する装置が、信号を正常に伝達することができるように、基準以上のＮＩＲが外部に放出されることを防止する。一方、ＥＭＩ遮蔽膜５６及びＮＩＲ遮蔽膜５８はそれぞれの層として存在しなくて、一つの層で構成することができる。
【００１７】
このような前面フィルタ３０は、図６のように、フィルタ支持部４０を通してバックカバー３８と電気的に接続される。これを詳細に説明すると、フィルタ支持部４０は、前面フィルタ３０の一側端から前面フィルタ３０の背面に接続される。この時、フィルタ支持部４０は、ＥＭＩ遮蔽膜５６及びＮＩＲ遮蔽膜５８のうち少なくとも一つ以上の膜と電気的に接続される。すなわち、フィルタ支持部４０は、前面フィルタ３０をバックカバー３８に接続させてＥＭＩ及び／またはＮＩＲを遮蔽する。
【００１８】
このような従来の前面フィルタ３０は、外部からの衝撃による前面フィルタ３０の破損を防止するために、ガラス５４が利用される。しかし、このように、ガラス５４が前面フィルタ３０に挿入されると、前面フィルタ３０の厚さが厚くなるという短所がある。また、前面フィルタ３０にガラス５４が挿入されると、その重さが重くなると共に製造費用が上昇するという問題点がある。
【００１９】
したがって、図７のように、ガラス５４を除去したフィルム型前面フィルタ６０が提案された。フィルム型の前面フィルタ６０は、無反射膜６２、光特性膜６４、ＥＭＩ遮蔽膜６６及びＮＩＲ遮蔽膜６８を備える。ここで、フィルム型前面フィルタ６０の各膜６２、６４、６６、６８間には、粘着層が形成されて、各膜６２、６４、６６、６８間を接着させる。そして、一般的に、光特性膜６４は、別個の層に形成しなくて、粘着層に特定物質を挿入して形成される。また、フィルム型の前面フィルタ６０の構造は、使用する業者にしたがって若干ずつ変化する。本願では、説明の便宜性のために粘着層を図示しなで光特性膜６４を一つの層にして表示した。
【００２０】
無反射膜６２は、フィルム型の前面フィルタ６０の表面に形成されて外部から入射される光が再び外部に反射することを防止する。光特性膜６４はパネル３２から入射される光のうち赤色Ｒ及び緑色Ｇの輝度を低くめると共に、青色Ｂの輝度を高めてＰＤＰの光特性を改善させる。
【００２１】
ＥＭＩ遮蔽膜６６は、ＥＭＩを遮蔽してパネル３２から入射されるＥＭＩが、外部に放出されることを防止する。このようなＥＭＩ遮蔽膜６６は、後述するＮＩＲ遮蔽膜６８と一つの層で構成されることができる。
【００２２】
ＮＩＲ遮蔽膜６６は、パネル３２から入射されるＮＩＲを遮蔽する。ここで、ＮＩＲは、７００〜１２００ｎｍの波長領域に属するものであって、ＰＤＰのパネル内に充填された混合ガスのうち、放電時に８００〜１０００ｎｍの光線（rays）を放出するＸｅにより生成される。このようなＮＩＲが外部に放出されると、ＩＲを用いて信号を伝達するリモートコントローラなどのような装置の信号がＰＤＰに正常に伝達することができなくなる。すなわち、ＮＩＲの放出は、リモートコントローラの誤作動を起こす。これにより、ＮＩＲ遮蔽膜６８は、リモートコントローラなどからパネル３２に伝えられる信号が正常に伝えられることができるように、近赤外線吸収染料を用いて基準以上のＮＩＲが外部に放出されることを防止する。
【００２３】
このようなフィルム型の前面フィルタ６０は、ガラス５４を含む前面フィルタ３０に比べて、重さが軽くなると共に薄形化することができる長所を有する。また、フィルム型の前面フィルタ６０は、ガラス５４を含んだ前面フィルタ３０に比べて製造費用を節減できる。
【００２４】
ところが、フィルム型の前面フィルタ６０は、ガラス５４を含んだ前面フィルタ３０に設けられるガラス５４すなわち、強化ガラスを採用しないことにより、外部衝撃による画面部の破損可能性が、ガラス５４を含んだ前面フィルタ３０に比べて顕著に高い問題点がある。
【発明の開示】
【発明が解決しようとする課題】
【００２５】
本発明は、プラズマディスプレーパネルの耐久性を強化させたフィルム型の前面フィルタを提供することを目的にする。
【課題を解決するための手段】
【００２６】
本発明による前面フィルタは、パネルと、パネルの前面に付着して外部衝撃を吸収できる衝撃吸収層とを備えることを特徴とする。
【００２７】
また、上記前面フィルタは、反射光を減らすための反射防止膜と、パネルから入射される光特性を改善させるための光特性膜と、パネルから入射される電磁波を遮断するための電磁波遮蔽膜と、パネルから入射される近赤外線を遮断するための近赤外線遮蔽膜をさらに備えることを特徴とする。
【００２８】
また、衝撃吸収層は、フィルムで作られて上記膜間に付着することを特徴とする。
また、衝撃吸収層は、粘着剤及び接着剤のうちいずれか一つの形態で製造され、上記膜間に塗布されるいずれか一つであることを特徴とする。
また、衝撃吸収層は、透明な材質のＥＶＡ、アクリル系高分子、ＰＶＣのうち少なくともいずれか一つの高分子材質であることを特徴とする。
また、衝撃吸収層の厚さは、５００μｍ〜５ｍｍであることを特徴とする。
【００２９】
本発明による前面フィルタは、プラズマディスプレーパネルの前面フィルタにおいて、前面フィルタはパネルの前面に付着して外部衝撃を吸収できるようにＥＶＡ、アクリル系高分子、ＰＶＣのうち少なくともいずれか一つで形成された衝撃吸収層が含まれることを特徴とする。
【００３０】
また、衝撃吸収層の厚さは、５００μｍ〜５ｍｍであることを特徴とする。
また、衝撃吸収層は、フィルムタイプであることを特徴とする。
また、衝撃吸収層は、粘着剤及び接着剤のうちいずれか一つの形態で塗布されることを特徴とする。
【００３１】
また、前面フィルタは、反射光を減らすための反射防止膜と、パネルから入射される光特性を改善させるための光特性膜と、パネルから入射される電磁波を遮断するための電磁波遮蔽膜と、パネルから入射される近赤外線を遮断するための近赤外線遮蔽膜をさらに備えることを特徴とする。
【発明の効果】
【００３２】
本発明によるフィルム型の前面フィルタは、衝撃吸収層を備えることによって外部衝撃からパネル（画面表示部）の破損発生を抑制することができる。すなわち、パネルの破壊強度を向上させることができる。
【００３３】
その結果、本発明によるフィルム型の前面フィルタに採用された衝撃吸収層が従来のガラスを含んだ前面フィルタに使われた強化ガラスのような役割を有することによってフィルム型前面フィルタの短所である画面表示部の破壊強度低下を防止してフィルム型前面フィルタの耐久性を向上させる。
【発明を実施するための最良の形態】
【００３４】
以下、図１を参照して本発明の望ましい実施形態について説明する。
【００３５】
図１は、本発明の実施例によるプラズマディスプレーパネルの前面フィルタを概略的に示す図面である。
【００３６】
図１を参照すれば、本発明の実施例によるフィルム型の前面フィルタ８０は、無反射膜８２、光特性膜８６、ＥＭＩ遮蔽膜８８、ＮＩＲ遮蔽膜９０及び衝撃吸収層８４を備える。ここで、フィルム型の前面フィルタ８０における各膜８２、８４、８６、８８、９０間には、粘着層が形成されて、各膜８２、８４、８６、８８、９０間及びパネル３２間を接着させる。そして、一般的に、光特性膜８６及びＮＩＲ遮蔽膜９０は、別個の層として存在しなくて、粘着層に特定物質が挿入されて形成される。また、フィルム型の前面フィルタ８０の構造は、使用する業者にしたがって若干ずつ変化する。本願では、説明の便宜性のために粘着層を図示しなくて光特性膜８６及びＮＩＲ遮蔽膜９０を別個の層に表示した。
【００３７】
無反射膜８２は、フィルム型前面フィルタ８０の表面に形成されて外部から入射される光が再び外部に反射することを防止する。このような無反射膜８２は、フィルム型前面フィルタ８０の背面にさらに形成されることができる。
光特性膜８６は、パネル３２から入射される光のうち赤色Ｒ及び緑色Ｇの輝度を低くめると共に青色Ｂの輝度を高めてＰＤＰの光特性を改善させる。
【００３８】
ＥＭＩ遮蔽膜８８は、ＥＭＩを遮蔽してパネル３２から入射されるＥＭＩが外部に放出されることを防止する。このようなＥＭＩ遮蔽膜８８は後述するＮＩＲ遮蔽膜９０と一つの層で構成されることができる。
【００３９】
ＮＩＲ遮蔽膜９０は、パネル３２から入射されるＮＩＲを遮蔽する。ここで、ＮＩＲは７００〜１２００ｎｍの波長領域に属するものであって、ＰＤＰのパネル内に充填された混合ガスのうち、放電時に８００〜１０００ｎｍの光線（rays）を放出するＸｅにより生成される。このようなＮＩＲが外部に放出されると、ＩＲを用いて信号を伝達するリモートコントローラなどのような装置の信号が、ＰＤＰに正常に伝達することができなくなる。すなわち、ＮＩＲの放出は、リモートコントローラの誤作動を起こす。これにより、ＮＩＲ遮蔽膜９０はリモートコントローラなどからパネル３２に伝えられる信号が正常に伝えられることができるように、近赤外線吸収染料を用いて基準以上のＮＩＲが外部に放出されることを防止する。
【００４０】
衝撃吸収層８４は、外部の衝撃がパネル３２に直接的に加えられることを防止することによってＰＤＰ画面部の破壊強度を増加させる。このような衝撃吸収層８４は、軟らかい膜８２、８６、８８、９０間に形成されるので、壊れない軟らかい素材で製作されてＰＤＰの画面表示部に位置するために透明な特性を有する物質が使われる。
【００４１】
衝撃吸収層８４は、別のフィルムで作られて他の膜８２、８６、８８、９０に付着したり粘着剤または接着剤形態に製造されて他の膜８２、８６、８８、９０間に塗布できる。衝撃吸収層８４は透明な材質のＥＶＡ、アクリル系高分子、ＰＶＣなど多様な高分子材質を利用して５００μｍ〜５ｍｍの厚さに形成されることができる。
【００４２】
このように、本発明の実施形態によるフィルム型の前面フィルタは、衝撃吸収層を備えることによって外部衝撃を吸収して、画面表示部の破壊強度を向上させることができる。
【００４３】
このような衝撃吸収層は、従来のガラスを含んだ前面フィルタに使われた強化ガラスのような役割を有することによって、フィルム型の前面フィルタの短所である画面表示部の破壊強度低下を防止でき、フィルム型の前面フィルタの耐久性を向上させる。
【００４４】
以上説明した内容を通じて、当業者ならば、本発明の技術思想を逸脱しない範囲で多様な変更及び修正が可能なことが分かる。したがって、本発明の技術的範囲は、明細書の詳細な説明に記載された内容に限定されることなく、特許請求の範囲により定められなければならない。
【００４５】
以上説明したことから、本発明によるフィルム型の前面フィルタは、衝撃吸収層を備えることによって、外部衝撃からパネル（画面表示部）の破損発生を抑制することができる。すなわち、パネルの破壊強度を向上させることができる。
【００４６】
その結果、本発明によるフィルム型前面フィルタに採用された衝撃吸収層が従来のガラスを含んだ前面フィルタに使われた強化ガラスのような役割を有することによってフィルム型の前面フィルタの短所である画面表示部の破壊強度低下を防止してフィルム型の前面フィルタの耐久性を向上させる。
【図面の簡単な説明】
【００４７】
【図１】図１は、本発明の実施例による前面フィルタを概略的に示す断面図である。
【図２】図２は、従来の３電極交流面放電型プラズマディスプレーパネルの放電セル構造を示す斜視図である。
【図３】図３は、一般的なプラズマディスプレーパネルにおいて２５６階調を表現するためのフレームを示す図である。
【図４】図４は、従来のプラズマディスプレーの一側を概略的に示す断面図である。
【図５】図５は、図４に示した前面フィルタを概略的に示す断面図である。
【図６】図６は、図４に示した前面フィルタとフィルタ支持部の接地過程を詳細に示す図である。
【図７】図７は、フィルム型前面フィルタを概略的に示す断面図である。。
【符号の説明】
【００４８】
１０；上部基板                  １４；上部誘電体層
１６；保護膜                    １８；下部基板
２２；下部誘電体層              ２４；隔壁
２６；蛍光体層                  ３０；前面フィルタ
３２；パネル                    ３４；放熱板
３６；印刷回路基板              ３８；バックカバー
４０；フィルタ支持部          ４２；支持部材
５０；無反射膜                  ５２；光特性膜
５４；ガラス                    ５６；ＥＭＩ遮蔽膜
５８；ＮＩＲ遮蔽膜              ６０；フィルム型前面フィルタ
６２；無反射膜                  ６４；光特性膜
６６；ＥＭＩ遮蔽膜              ６８；ＮＩＲ遮蔽膜
８０；フィルム型の前面フィルタ  ８２；無反射膜
８４；衝撃吸収層                ８６；光特性膜
８８；ＥＭＩ遮蔽膜              ９０；ＮＩＲ遮蔽膜
Ｘ；アドレス電極                  Ｙ；スキャン電極
Ｚ；サステイン電極              １２Ｙ、１２Ｚ；透明電極
１３Ｙ、１３Ｚ；金属バス電極
【図１】
2004246365.tif 000003
【図２】
2004246365.tif 000004
【図３】
2004246365.tif 000005
【図４】
2004246365.tif 000006
【図５】
2004246365.tif 000007
【図６】
2004246365.tif 000008
【図７】
2004246365.tif 000009